(57)【要約】      （修正有）【課題】効果的に糞を回収でき、回収後の片付けが簡便な動物の糞回収袋を提供する。【解決手段】本動物の糞回収袋は、該糞回収袋が動物の糞を収容する袋本体を主とし、前記袋本体上に粘着区域が設けられ、前記粘着区域は袋本体を折り畳んだときに粘着させることができ、前記袋本体の前記袋口の箇所に封鎖部が設けられ、且つ前記袋口の箇所の両側にさらに相互に対応させて粘着させることができる貼付部が設けられ、且つ前記貼付部は動物の排泄部の周囲に貼り付けることができ、動物が糞の排泄を行うとき、糞が直接前記袋本体内に入り、同時に袋本体が開き、糞の回収後使用者は袋を動物から剥がし、前記封鎖部により袋口を封鎖して糞の回収動作が完了した後、袋本体は生分解可能な材質から成るため、使用者はそれを直接便器に捨て、生分解させることができる。【選択図】図１
0003162877.tif 000002
【実用新案登録請求の範囲】
【請求項１】
動物の糞を効果的に回収できる動物の糞回収袋であって、主に袋本体を含み、前記袋本体上に粘着区域が設けられ、前記袋本体の袋口の箇所に封鎖部が設けられたことを特徴とする、動物の糞回収袋。
【請求項２】
前記袋本体が生分解可能な材質から成ることを特徴とする、請求項１に記載の物の糞回収袋。
【請求項３】
前記封鎖部が生分解可能な材質から成ることを特徴とする、請求項１に記載の物の糞回収袋。
【請求項４】
前記袋本体の前記袋口の箇所の両側にさらに相互に対応させて粘着させることができる貼付部が設けられたことを特徴とする、請求項１に記載の物の糞回収袋。
【請求項５】
前記粘着区域がさらに全面状の粘着区域または直線状の粘着区域とできることを特徴とする、請求項１に記載の物の糞回収袋。
【考案の詳細な説明】
【技術分野】
【０００１】
本考案は糞回収袋に関し、特に、動物に自分の糞が付着してしまうことがなく、且つ効果的に糞を回収でき、使用者は糞に触れることがなく、回収後の片付けが簡便で、水に溶解するため直接捨てることができる、動物の糞回収袋に関する。
【背景技術】
【０００２】
人類が犬を飼い始めて以来、犬は人類の最も忠実なパートナーとなっている。多くの人が養を飼っており、犬がコンパニオンとしてそばにいることでストレス解消になるほか、一部の犬は飼い主を保護する効果もある。
【０００３】
しかしながら、犬の飼育過程においては、愛犬を連れて公園や道路を散歩させる必要があり、往々にして沿路で犬に排便させて環境衛生の汚染を引き起こすことがあり、環境保護意識の高まりと共に、犬を公園や道路上で自由に排便させることは禁止され、飼い主は清掃用具を随時携帯して犬が排泄した糞を清掃しなければならず、飼い主の外出時には不便である。市場においてはさまざまな種類の清掃用具が販売されているが、そのほとんどは飼い主が携帯する必要があり、飼い主の携帯上の不便さを引き起こす。
【０００４】
現在動物の排泄物処理に関係する特許は、例えば米国特許第６１４２１０５号の「Ｓｅｃｕｒｅｌｙ  ｆｉｔｔｉｎｇ  ｐｅｔ  ｄｉａｐｅｒ」（しっかりフィットするペット用おむつ）があり、これはペット用おむつの発明であるが、このペット用おむつの設計は、ペットの排泄部をおむつで包み込み、ペットが排出した糞がおむつの中に残るため、ペットが活動するときに自身の体に付着してしまい、ペットの体を洗わなければならなくなるため、非常に不便である。
【０００５】
また、米国特許第６６７５７４５Ｂ１号「Ｐｅｔ  ｄｉａｐｅｒ  ｇａｒｍｅｎｔ
」（ペット用おむつ服）の特許は、主に衣服の裁断と縫合の方式を利用してペット用おむつの着用時によりフィットさせたものであるが、やはりおむつで動物の排泄部を包み込む方式であるため、前述のペットの糞が身体に付着してしまうという問題を解決することはできない。
【０００６】
このため、いかに上述の従来品の問題と欠点を解決するかが本考案の考案者および関連産業に従事する企業が改善を研究する方向性である。
【先行技術文献】
【特許文献】
【０００７】
【特許文献１】米国特許第６１４２１０５号「Ｓｅｃｕｒｅｌｙ  ｆｉｔｔｉｎｇ  ｐｅｔ  ｄｉａｐｅｒ」明細書
【特許文献２】米国特許第６６７５７４５Ｂ１号「Ｐｅｔ  ｄｉａｐｅｒ  ｇａｒｍｅｎｔ 」明細書
【考案の概要】
【考案が解決しようとする課題】
【０００８】
本考案の考案者は上述の欠点に鑑み、関連資料を収集し、多方面の評価と考慮を経て、かつ関連産業において蓄積した長年の経験に基づき、試作と修正を重ね、この動物に自分の糞が付着せず、効果的に糞を回収でき、使用者が糞に触れることがなく、回収後の片付けも簡便で、直接トイレに捨てても水に溶ける、動物の糞回収袋の実用新案の開発に至った。
【０００９】
本考案の主な目的は、効果的に糞を回収でき、回収後の片付けが簡便な動物の糞回収袋を提供することにある。
【課題を解決するための手段】
【００１０】
本考案の動物の糞回収袋は、袋本体上に粘着区域が設けられ、且つ前記袋本体の袋口箇所に封鎖部が設けられ、前記袋本体の前記袋口の両側に相互に対応させて粘着させることができる貼付部が設けられ、且つ、前記袋本体及び前記封鎖部が共に生分解可能な材質から成り、飼い主が動物を連れて外出するとき、前記袋本体を折り畳んで前記貼付部を動物の排泄部周囲に粘着させると、動物の排便時、糞が前記袋本体内に落下し、重力の関係で前記袋本体がすぐに展開して糞が前記袋本体の最も底部に入り、動物の排便が終わった後、飼い主は前記袋本体を動物の排泄部から剥がし、前記封鎖部で前記袋口を封鎖することができる。上述の技術により、従来品に存在するペットが排出した糞がペットの活動時にペットの身体に付着しやすく、事後ペットの身体を洗う必要が生じて不便であるという問題点を打破し、前記袋本体の貼付部を動物の排泄部に粘着させて、動物の糞を直接前記袋本体内に落下させ、動物の身体に付着しないようにすると共に、前記封鎖部によって飼い主は軽易かつ便利に前記袋本体を封鎖でき、さらに前記袋本体及び前記封鎖部はすべて生分解可能な材質から成り、飼い主は便器や草むらに捨てて生分解させることができる、実用性と進歩性を備えている。
【考案の効果】
【００１１】
全部の図に示すように、本考案の使用時には従来技術と比較して次のような利点が確実に存在する。
【００１２】
前記袋本体１１の貼付部１４を動物２０の排泄部２１の箇所に粘着させることで、動物２０の糞２２が直接前記袋本体１１内に落下し、動物２０の身体に付着することがなく、且つ前記封鎖部１３により飼い主３０は軽易かつ便利に前記袋本体１１に対して袋口の封鎖を行うことができる。さらに、前記袋本体１１及び前記封鎖部１３共に生分解可能な材質から成っており、飼い主３０は便器に捨てたり、草むらに捨てて生分解させたりすることができ、実用性と進歩性を備えている。
【図面の簡単な説明】
【００１３】
【図１】本考案の最良の実施例の立体図である。
【図２】本考案の最良の実施例の操作を示す概略図１である。
【図３】本考案の最良の実施例の操作を示す概略図２である。
【図４】本考案の最良の実施例の操作を示す概略図３である。
【図５】本考案の別の最良の実施例の立体外観図である。
【図６】本考案のさらに別の最良の実施例の立体外観図である。
【考案を実施するための形態】
【００１４】
上述の目的及び効果を達するため、本考案が採用する技術手段及び構造について、以下図面と本考案の最良の実施例に基づきその特徴と機能を詳細に説明する。
【実施例１】
【００１５】
図１に本考案の最良の実施例の立体図を示す。この図からはっきりと分かるように、本考案の糞回収袋１０は効果的に糞を回収することができ、主に、生分解可能な材質から成る袋本体１１を含み、前記袋本体１１上に粘着区域１２が設けられ、前記袋本体１１の袋口１１１の箇所に同様に生分解可能な材質から成る封鎖部１３が設けられ、さらに前記袋本体１１の袋口１１１箇所の両側に相互に対応させて粘着させることができる貼付部１４が設けられ、前記貼付部１４は同様に動物の排泄部周囲に粘着させることができる。
【００１６】
上述の構造、組み立て設計に基づき、本考案の使用操作状況について以下で説明する。同時に図１、図２、図３、図４の本考案の最良の実施例の立体図及び操作を示す概略図１、２、３をそれぞれ示す。これらの図からはっきりと分かるように、前記袋本体１１は前記貼付部１４を前記動物２０の排泄部２１の周囲に粘着させ、且つ前記袋本体１１は折り畳んで小さくすることができ、前記粘着区域１２で固定して、動物２０が排便するとき、動物２０の糞２２が排泄部２１から排出され、前記袋本体１１内に落下し、同時に糞２２は重量があるため、前記袋本体１１に入った後すぐに前記袋本体１１が展開されて前記袋本体１１の最も底部に入り、前記袋本体１１に前記動物２０の糞２２を回収した後、飼い主３０は前記袋本体１１を前記動物２０排泄部２１から剥がし、前記両側の貼付部１４を相互に貼り合わせ、前記封鎖部１３を利用して前記袋本体１１の袋口の封鎖を行い、封鎖後は前記糞２２が入った袋本体１１を捨てることができる。
【実施例２】
【００１７】
図５に本考案の別の最良の実施例の立体外観図を示す。この図からはっきりと分かるように、前記糞回収袋１０ａは主に袋本体１１ａ及び前記袋本体１１ａの袋口１１１ａ箇所に設けられた封鎖部１３ａを含み、そのうち、前記袋本体１１ａ上には粘着区域１２ａが設けられ、前記粘着区域１２ａはさらに直線状の粘着区域１２ａとしてもよく、前記糞回収袋１０ａの未使用時の折り畳んだ態様のとき、動物が動き回って生じる揺動を小さくし、動物がより動きやすくすることができる。
【実施例３】
【００１８】
図６に本考案のさらに別の最良の実施例の立体外観図を示す。この図からはっきりと分かるように、前記糞回収袋１０ｂは主に袋本体１１ｂ及び前記袋本体１１ｂの袋口１１１ｂ箇所に設けられた封鎖部１３ｂを含み、そのうち、前記袋本体１１ｂ上には粘着区域１２ｂが設けられ、前記粘着区域１２ｂは全面状の粘着区域１２ｂとしてもよく、前記糞回収袋１０ｂの未使用時の折り畳んだ態様のとき、動物が動き回って生じる揺動を小さくし、動物がより動きやすいようにすることができる。
【００１９】
以上の説明は本考案の最良の実施例に基づいた説明であり、本考案の特許範囲を限定するものではなく、本考案の明細書及び図面の内容を運用した簡易な修飾及び同等効果の構造変化はすべて本考案の特許範囲内に含まれる。
【００２０】
上述をまとめると、本考案の動物の糞回収袋は使用時に確実にその効果と目的を達することができるため、本考案は実用性に優れた創作であり、実用新案登録の出願要件を満たしているため、法に基づきここに出願を提出するものである。
【符号の説明】
【００２１】
１０、１０ａ、１０ｂ    糞回収袋
１１、１１ａ、１１ｂ    袋本体
１１１、１１１ａ、１１１ｂ    袋口
１２、１２ａ、１２ｂ    粘着区域
１３、１３ａ、１３ｂ    封鎖部
１４      貼付部
２０      動物
２１      排泄部
２２      糞
３０      飼い主
【図１】
0003162877.tif 000003
【図２】
0003162877.tif 000004
【図３】
0003162877.tif 000005
【図４】
0003162877.tif 000006
【図５】
0003162877.tif 000007
【図６】
0003162877.tif 000008
【手続補正書】
【提出日】平成22年7月20日(2010.7.20)
【手続補正１】
【補正対象書類名】実用新案登録請求の範囲
【補正対象項目名】全文
【補正方法】変更
【補正の内容】
【実用新案登録請求の範囲】
【請求項１】
袋本体を動物の糞を効果的に回収できる糞回収袋とするものであって、
該袋体の袋口は袋体の袋口を封鎖する巾着方式から成る封鎖部として形成するとともに、
該袋体の袋口内側縁は該内側縁に沿って該袋口の内側縁の両側である対向縁を相互に対応させて粘着させることができる貼着部とし、
該袋体の本体の表面の所望個所には、袋体を折り畳んだとき、その折り畳み面を折り畳んだ状態で粘着させるための所望の形状に形成した粘着区域が設けられた構成としたことを特徴とする動物の糞回収袋。
【請求項２】
前記袋本体が生分解可能な材質から成ることを特徴とする、請求項１に記載の物の糞回収袋。
【請求項３】
前記封鎖部が生分解可能な材質から成ることを特徴とする、請求項１に記載の物の糞回収袋。
【請求項４】
前記粘着区域が全面状の粘着区域、または直線状の粘着区域でできていることを特徴とする、請求項１に記載の物の糞回収袋。